(57)【特許請求の範囲】
【請求項１】
所定のカードを発行する際に使用されるものであり、固有の識別符号が付された当該カードを保持可能なカード保持型帳票において、
所定の事項が記入されるエリアが設けられて所定内容が印刷され、前記カードに印字された機械的に読み取り自在な読取判別符号及び少なくとも目視で判別自在な当該読取判別符号と同じ情報の目視判別符号で構成される識別符号とひも付けするための同様の識別符号と共に、当該付された識別符号の近傍に当該目視判別符号と同様の目視判別符号が印字データに基づく印字により付された第１の紙葉、及び当該第１の紙葉と分離自在であって、前記カードを保持する手段が形成された第２の紙葉を少なくとも含む第１の帳票と、
少なくとも前記第１の紙葉に付された識別符号と同一の識別符号及びその近傍に付される当該識別符号の目視判別符号と同様の目視判別符号が共通の前記印字データに基づいて付されると共に、当該第１の紙葉のエリアと同一のエリアが設けられ、当該第１の紙葉のエリアと同一位置に位置されて丁合される複写型の第２の帳票と、
を有することを特徴とするカード保持型帳票。
【請求項２】
請求項１に記載のカード保持型帳票であって、前記第１の帳票に、再接着自在な剥離自在のラベルが設けられ、当該ラベルに前記カードに付された前記読取判別符号及び目視判別符号で構成された識別符号と同一の識別符号が付されることを特徴とするカード保持型帳票。
【請求項３】
請求項１又は２に記載のカード保持型帳票を作製するための帳票作製システムであって、
前記カード保持型帳票を構成する前記第１の帳票における第１及び第２の紙葉の少なくとも同一面上への所定印刷事項の印刷を行うと共に、前記第２の帳票への所定印刷事項の印刷を行う印刷手段と、
前記第１及び第２の帳票に機械的に読み取り自在な読取判別符号及び少なくとも目視で判別自在な当該読取判別符号と同じ情報の目視判別符号で構成される識別符号及びその近傍に付される当該識別符号の目視判別符号と同様の目視判別符号を共通の印字データに基づいて印字する印字手段と、
前記第１及び第２の帳票に対し、接着剤を塗布し、前記第２の帳票を丁合する丁合手段と、
を有することを特徴とする帳票作製システム。
【請求項４】
請求項３記載の帳票作製システムであって、前記カードに所定印刷事項、及び前記識別符号の印字を行うカード印刷手段を少なくとも備えることを特徴とする帳票作製システム。
【請求項５】
請求項３又は４記載の帳票作製システムであって、前記カード保持型帳票の第２の帳票に付された識別符号の前記読取判別符号と、保持された前記カードに付された識別符号の前記読取判別符号とを読み取り、同一性を照合する照合手段を備えることを特徴とする帳票作製システム。
【発明の詳細な説明】
【０００１】
【発明の属する技術分野】
本発明は、種々のカード発行の際に使用されるもので、カードを保持する機能を備えたカード保持型帳票及び帳票作製システムに関する。
【０００２】
【従来の技術】
近年、クレジットカード、会員カードやポイントカード等の種々のカードが発行されてきており、カード発行に伴う帳票においても種々のものが出現してきている。カード発行業務は、申込者がカード申込書に所定の事項を記入して申し込むことでカードを発行するものであるが、発行側では申込者とカードの同一性を担保する必要性から、申込書とカードをいわゆるひも付けして管理する。このようなカード発行業務においては、申込書内容の複数による管理の要請と、申込書作製の効率化、カード発行作業の効率化が望まれている。
【０００３】
そこで、図６に、従来のカード保持型帳票の構成図を示す。図６（Ａ）はカード申込書の概念図であり、図６（Ｂ）は発行するカードを保持しているカード台紙の概念図である。図６（Ａ）に示すカード申込書１０１は、申込者の氏名や住所等を記入する記入欄１０２や管理のためのエリア１０３等が設けられて印刷され、これとは別に図６（Ｂ）に示すカード台紙１０４が所定事項を印刷して用意されている。
【０００４】
カード台紙１０４は、申込者に渡されるもので、カード番号等が印刷されたカード１０５を保持するための切欠き１０６が形成されて当該カード１０５を四隅で保持する。また、このようなカード台紙１０４には、カード１０５のカード番号とひも付けされたバーコードが印刷されたラベル１０７が剥離、再接着可能に貼着されており、当該カード台紙１０４を申込者に渡す際に上記ラベル１０７を剥がしてカード申込書１０１のエリア１０３に貼着することによって、当該カード申込書１０１をカード１０５とひも付けして管理するものである。
【０００５】
また、他の方法として、カード申込書１０１のエリア１０３と、カード台紙１０４の所定位置に同一のバーコードや番号を印字し、このバーコードや番号が印字されたカード１０５をカード台紙１０４に保持させておくことで、上記カード申込書１０１をカード１０５とひも付けして管理することも行われている。
【０００６】
そして、窓口によるカードの即時発行においては、当該発行カード１０５とひも付けされた申込書１０１を管理センタ等に送付し、当該管理センタ等のデータベースに申込者及びカードひも付け情報を入力して管理する。
【０００７】
【発明が解決しようとする課題】
しかしながら、カード発行後に申込者より当該カードに関する問い合わせがカード発行窓口に対して行われることがあり、窓口では当該カードに関する情報を有せず、管理センタ等に問い合わせることが必要となって即時に対処することができないという問題がある。一方、カード発行時に申込書を複写して当該発行窓口で保管することも考えられるが、その都度又はまとめて複写するという作業が必要となってカード発行業務の効率が悪いという問題があると共に、申込書を複写紙等で２葉とする場合には、各葉間、これらとカードのひも付けのマッチングが必要になって煩雑になるという問題がある。
【０００８】
そこで、本発明は上記課題に鑑みなされたもので、申込書等の帳票とカードとのマッチングを容易として帳票作製、カード発行業務の効率を向上させるカード保持型帳票及び帳票作製システムを提供することを目的とする。
【０００９】
【課題を解決するための手段】
上記課題を解決するために、請求項１の発明では、所定のカードを発行する際に使用されるものであり、固有の識別符号が付された当該カードを保持可能なカード保持型帳票において、所定の事項が記入されるエリアが設けられて所定内容が印刷され、前記カードに印字された機械的に読み取り自在な読取判別符号及び少なくとも目視で判別自在な当該読取判別符号と同じ情報の目視判別符号で構成される識別符号とひも付けするための同様の識別符号と共に、当該付された識別符号の近傍に当該目視判別符号と同様の目視判別符号が印字データに基づく印字により付された第１の紙葉、及び当該第１の紙葉と分離自在であって、前記カードを保持する手段が形成された第２の紙葉を少なくとも含む第１の帳票と、少なくとも前記第１の紙葉に付された識別符号と同一の識別符号及びその近傍に付される当該識別符号の目視判別符号と同様の目視判別符号が共通の前記印字データに基づいて付されると共に、当該第１の紙葉のエリアと同一のエリアが設けられ、当該第１の紙葉のエリアと同一位置に位置されて丁合される複写型の第２の帳票と、を有してカード保持型帳票が構成される。
【００１０】
請求項２の発明では、「前記第１の帳票に、再接着自在な剥離自在のラベルが設けられ、当該ラベルに前記カードに付された前記読取判別符号及び目視判別符号で構成された識別符号と同一の識別符号が付される」構成である。
【００１１】
請求項３の発明では、請求項１又は２に記載のカード保持型帳票を作製するための帳票作製システムであって、前記カード保持型帳票を構成する前記第１の帳票における第１及び第２の紙葉の少なくとも同一面上への所定印刷事項の印刷を行うと共に、前記第２の帳票への所定印刷事項の印刷を行う印刷手段と、前記第１及び第２の帳票に機械的に読み取り自在な読取判別符号及び少なくとも目視で判別自在な当該読取判別符号と同じ情報の目視判別符号で構成される識別符号及びその近傍に付される当該識別符号の目視判別符号と同様の目視判別符号を共通の印字データに基づいて印字する印字手段と、前記第１及び第２の帳票に対し、接着剤を塗布し、前記第２の帳票を丁合する丁合手段と、を有して帳票作製システムが構成される。
【００１２】
請求項４及び５の発明では、「前記カードに所定印刷事項、及び前記識別符号の印字を行うカード印刷手段を少なくとも備える」構成であり、
「前記カード保持型帳票の第２の帳票に付された識別符号の前記読取判別符号と、保持された前記カードに付された識別符号の前記読取判別符号とを読み取り、同一性を照合する照合手段を備える」構成である。
【００１３】
このように、カード保持型帳票は、所定事項が記入される第１の紙葉と識別符号が付されたカードが保持される第２の紙葉からなる第１の帳票に、複写型の第２の帳票が丁合されるもので、第１の帳票及び第２の帳票にカードとひも付けするための機械的に読み取り自在な読取判別符号及び少なくとも目視で判別自在な当該読取判別符号と同じ情報の目視判別符号で構成される識別符号及びその近傍に付される当該識別符号の目視判別符号と同様の目視判別符号が共通の印字データに基づいて付される。したがって、第１の帳票と丁合された第２の帳票とのマッチングは既にとられ、カードの識別符号とのマッチングを読取判別若しくは目視判別により行えばよいことから、帳票作製の効率を向上させることが可能になると共に、マッチングを容易に行うことが可能となる。また、第１の帳票と、第２の帳票とを分離させて異なる場所で保管、管理することが可能となり、当該カードの問い合わせに対して即時に対処できるようになることから、カード発行業務の効率を向上させることが可能となる。
【００１４】
また、帳票作製システムにおいては、第１の帳票における第１及び第２の紙葉の同一面上に所定印刷事項の印刷を印刷手段で行わせると共に、当該第１の紙葉及び第２の帳票に付される機械的に読み取り自在な読取判別符号及び少なくとも目視で判別自在な当該読取判別符号と同じ情報の目視判別符号で構成される識別符号及びその近傍に付される当該識別符号の目視判別符号と同様の目視判別符号を共通の印字データに基づいて付し、第１の帳票と第２の帳票を丁合して第２の紙葉にカードを保持させるもので、適宜、当該カードと第１及び第２の帳票とを識別符号の読取判別符号により同一性を照合する照合手段を備える。これにより、印字、印刷を簡易とすることが可能となると共に、容易にカードと第１及び第２の帳票とのひも付け、マッチングの確認が行えることから、帳票作製の効率を向上させることが可能になり、マッチングを容易に行うことが可能となる。すなわち、このように作製したカード保持型帳票により、第１の帳票と、第２の帳票とを分離させて異なる場所で保管、管理することが可能となって当該カードの問い合わせに対して即時に対処できるようになることから、カード発行業務の効率を向上させることが可能となる。
【００１５】
【発明の実施の形態】
以下、本発明の好ましい実施形態を図により説明する。
図１に、本発明の一実施形態におけるカード保持型帳票の構成図を示す。図１（Ａ）、（Ｂ）に示すカード保持型帳票１１は、磁気記録可能なポイントカード、クレジットカード、会員カード、ＩＣカード、ＩＤカード等のカードを発行する場合に適用されるもので、第１の帳票１２に第２の帳票１３が丁合されたものである。
【００１６】
第１の帳票１２は、図１（Ｂ）に示すように、第１の紙葉１４と第２の紙葉１５とがミシン目１６により分離自在に連続して一体とされて構成される。第１の紙葉１４には、一方面上に所定の事項が記入されるエリア１７等を所定数含んで全体に例えば「申込書（売場控え）」等の所定の印刷情報が印刷されたものである。また、エリア１７の下方には識別符号である読取判別符号１８及び同じ情報の目視判別符号１９が付されると共に、当該目視判別符号１９と同様の目視判別符号２０が近傍に付される。
【００１７】
第２の紙葉１５は、上記第１の紙葉１４の一方面と同一面上に、例えば「会員規約」等の所定の印刷情報が印刷されるもので、所定位置にカードを例えば四隅で保持する保持手段である４つの切欠き２１が形成されて設けられる。このように、第１及び第２の紙葉１４，１５において同一面上に印刷されることから印刷処理を一度に一括で行うことができるものである。
【００１８】
一方、第２の帳票１３は、図１（Ａ）に示すように、複写紙が使用されるもので、上記第１の紙葉１４と同一の所定の事項が記入されるエリア１７Ａ等を所定数含んで全体に例えば「申込書（カウンタ控え）」等の所定の印刷情報が印刷されたものである。また、同様に、エリア１７Ａの下方には識別符号である読取判別符号１８Ａ及び同じ情報の目視判別符号１９Ａが付されると共に、当該目視判別符号１９Ａと同様の目視判別符号２０Ａが近傍に付される。
【００１９】
この場合、当該第１の紙葉１４に付された読取判別符号１８、目視判別符号１９，２０と、第２の帳票１３に付された読取判別符号１８Ａ、目視判別符号１９Ａ，２０Ａとは、共通の印字データに基づいて印字されたものである。そして、上記第１の紙葉１４上に、エリア１７とエリア１７Ａとが同一位置で重ね合わされ、その左端で接着されて丁合されたものである。すなわち、第２の帳票１３のエリア１７Ａに所定事項が記入されると、同一内容が第１の紙葉１４のエリア１７に複写されるものである。
【００２０】
一方、図１（Ｃ）に示すカード２２には、所定事項が印刷されると共に、所定位置に上記第２の帳票１３（第１の紙葉１４）に付された識別符号と同一情報の識別符号である読取判別符号１８Ｂ及び目視判別符号１９Ｂが印字、印刷されている。このカード２２が第１の帳票１２における第２の紙葉１５に形成された４つの切欠き２１に四隅が差し込まれることにより保持される。この場合、当該カード２２に付された識別符号が第２の帳票１３に付された識別符号と同一面になるようにさせることで、当該カード２２を保持させる際に、各目視判別符号２０Ａ，１９Ｂで目視確認ができ、容易にマッチングさせることができるものである。
【００２１】
次に、図２に、本発明のカード保持型帳票を製造する帳票作製システムのブロック構成図を示す。図２（Ａ）において、帳票作製システム３１は、大別して印刷手段３２、印字手段３３及び丁合手段３４により構成される。印刷手段３２は、カード保持型帳票１１を構成する第１の帳票１２における第１及び第２の紙葉１４，１５の少なくとも同一面上に印刷データ３５に基づいて所定の印刷事項（固定内容）の印刷を一括で行う。なお、印刷事項によっては両面印刷でもよい。また、印刷手段３２は、第２の帳票１３に対して、上記第１の紙葉１４に印刷した印刷内容と同一の印刷内容を同一位置になるように印刷する。これら印刷された第１の帳票１２と第２の帳票１３とが予め用意される。
【００２２】
印字手段３３は、第１及び第２の帳票１２，１３のそれぞれに対応して設けられるもので、上記第１の紙葉１３に固有の上記ひも付けの識別符号である読取判別符号１８及び目視判別符号１９，２０の印字を印字データ３６に基づいて行う。また、印字手段３３は、第２の帳票１３に対し、上記第１の紙葉１４に印字した読取判別符号１８及び目視判別符号１９，２０と同一符号かつ同一位置となる位置に読取判別符号１８Ａ及び目視判別符号１９Ａ，２０Ａを共通の印字データ３６に基づいて印字を行う。そして、これら印字された第１及び第２の帳票１２，１３が丁合手段３４にそれぞれ送られる。
【００２３】
丁合手段３４は、第１の帳票１２における第１の紙葉１４の左端に接着剤を塗布し、当該第１の紙葉１４上に第２の帳票１３を、エリア１７，１７Ａを同一位置にして重ね合わせ、上記塗布された接着剤により接着して丁合を行うもので、図３においても説明する。
【００２４】
また、図２（Ｂ）は、帳票作製システム３１においてカード２２を作製するためのもので、カード２２に対してカード印刷手段３７と、当該カード２２が磁気記録可能な場合には記録手段２８を備える。カード印刷手段３７は、カード２２に対して所定の印刷事項や固有の上記読取判別符号１８Ｂ及び目視判別符号１９Ｂを印刷データ３９に基づいて印字、印刷する。そして、記録手段３８は、カード２２に対して固有の上記読取判別符号１８Ｂ及び目視判別符号１９Ｂと同様の磁気的情報等を記録データ４０に基づいて行うものである。
【００２５】
そこで、図３に、帳票作製システムによるカード保持型帳票作製の説明図を示す。図３（Ａ）はカード保持型帳票１１を作製するための第１の連続帳票４１と第２の連続帳票４２を示したもので、第１の連続帳票４１は第１の帳票１２（第１及び第２の紙葉１４，１５）を単位帳票としてミシン目４３で分離自在に所定枚数連続したものである。また、当該第１の連続帳票４１の幅方向（印字、印刷時に搬送される方向と垂直方向）の両側に搬送孔４４が所定数形成されたマージナル部４５Ａ，４５Ｂが図面上の破線部分で分離自在に設けられる。
【００２６】
第２の連続帳票４２は、第２の帳票１３を単位帳票としてミシン目４６で分離自在に所定枚数連続したものである。また、当該第２の連続帳票４２の幅方向左側に搬送孔４７が所定数形成されたマージナル部４８が図面上の破線部分により分離自在に設けられる。このような第１及び第２の連続帳票４１，４２に対して、予め上記印刷手段３２でそれぞれ印刷が行われ、印字手段３３で固有のひも付けのための読取判別符号１８，１８Ａ及び目視判別符号１９，１９Ａ，２０，２０Ａを印字しながら、丁合手段３４に搬送される。
【００２７】
そして、図３（Ｂ）に示すように、上記丁合手段３４で第１の連続帳票４１における各第１の紙葉１４の左端に接着剤４９を塗布しながら第２の連続帳票４２を重ね合わせて接着することにより丁合される。そして、図３（Ｃ）に示すように、図示しない切断装置により搬送しながらマージナル部４５Ａ（４８），４５Ｂを裁断分離し、またそれぞれ一のカード保持型帳票１１とするようにミシン目４３（４６）で裁断することにより、図３（Ｄ）に示すような単一のカード保持型帳票１１にそれぞれ分離させるものである。
【００２８】
このように、第１の帳票１２における第１の紙葉１４と第２の帳票１３とに印字される読取判別符号１８，１８Ａ及び目視判別符号１９，１９Ａ，２０，２０Ａが共通の上記印字データ３６により印字されることから、既にマッチングがとれており、またカード２２を第２の紙葉１５の切欠き２１に保持させるときには第２の帳票１３の目視判別符号２０Ａと当該カード２２に印字されている目視判別符号１９Ｂとにより容易にマッチングを行うことができるものである（図５において説明する）。
【００２９】
そこで、図４に、本発明におけるマッチングのための照合の説明図を示す。図４において、照合手段５１が上記帳票作製システム４１に備えられるもので、照合部５２、バーコードリーダ５３を少なくとも含んで構成される。すなわち、カード２２が保持されたカード保持型帳票１１が搬送されてきたときに、読取判別符号を機械的に読み取る手段としてのバーコードリーダ５３がひも付けの識別符号である読取判別符号１８Ａを読み込むと共に、カード２２に付された読取判別符号１８Ｂを読み込む。そして、照合部５２が読み込んだ互いの読取判別符号１８Ａ，１８Ｂとが一致するか否かを照合するものである。なお、適宜ＯＣＲ（光学式読み取り装置）を設けて第２の帳票１３上に目視判別符号１９Ａ又は２０Ａと、カード２２の目視判別符号１９Ｂとを読み込んで照合してもよい。
【００３０】
このように、カード２２とマッチングがとれているカード保持型帳票１１を作製することから帳票作製の効率を向上させることができる。また、カード保持型帳票１１に、例えば申し込みのための記入等がされ、第２の紙葉１５を分離して申込者に渡したのち、第１の紙葉１４と第２の帳票１３を分離し、一方の例えばカウンタ控えである第２の帳票１３をカウンタ（例えば、カードについて情報を管理するデータベース等を備える）に発送すると共に、第１の紙葉１４がカード発行窓口で保管される。したがって、カード保持者より当該カード発行窓口に問い合わせがあっても保管されている第１の紙葉１４により即時に対応することができ、カード発行業務の効率を向上させることができるものである。
【００３１】
次に、図５に、本発明の他の実施形態におけるカード保持型帳票の構成図を示す。図５（Ａ）に示すカード保持型帳票１１は、第１の帳票１２における第２の紙葉１５に、カード２２に印字された読取判別符号１８Ｂ及び目視判別符号１９Ｂと同様の読取判別符号１８Ｃ及び目視判別符号１９Ｃが印字されて付されたラベル６１が設けられたもので、他の構成は図１と同様である。
【００３２】
上記ラベル６１は、図５（Ｂ）に示すように、まず第２の紙葉１５に、上記読取判別符号１８及び目視判別符号１９を印字するときに共通の印字データで読取判別符号１８Ｃ及び目視判別符号１９Ｃが一括で印字される。そして、この印字部分の裏面に接着剤６２により剥離自在とする保護紙６３が貼付される。また、当該印字部分上にはラミネートフィルム６４が貼り付けられ、型抜きにより保護紙６３の上まで打ち抜いて型抜線６５を形成させたものである。これにより、当該ラベル６１は、型抜線６５より一体となったラミネートフィルム６４、上記印字部分、接着剤６２を当該第２の紙葉１５から剥離することができ、剥離したラベル６１を何れかに再接着させることができるものである。
【００３３】
このようなラベル６１は、当該第２の紙葉１５がカード申込者に渡されたのち、当該カード保持者が所望の所に貼付させておくことで、例えばカード２２を紛失した場合等に当該カード２２を特定することができ、利便性を向上させることができるものである。
【００３４】
【発明の効果】
以上のように、請求項１のカード保持型帳票によれば、所定事項が記入される第１の紙葉と識別符号が付されたカードが保持される第２の紙葉からなる第１の帳票に、複写型の第２の帳票が丁合されるもので、第１の帳票及び第２の帳票にカードとひも付けするための機械的に読み取り自在な読取判別符号及び少なくとも目視で判別自在な当該読取判別符号と同じ情報の目視判別符号で構成される識別符号及びその近傍に付される当該識別符号の目視判別符号と同様の目視判別符号を共通の印字データに基づいて付すことにより、申込書等の帳票とカードとのマッチングを容易とすることができると共に、第１及び第２の帳票を分離することで異なる場所で管理、保管が可能となって問い合わせに対して即時に対処でき、カード発行業務の効率を向上させる行うことができるものである。
【００３５】
請求項２の発明によれば、第１の帳票にカードに付された読取判別符号及び目視判別符号で構成された識別符号と同一の識別符号を付した再接着自在な剥離自在のラベルを設けることにより、カード保持者においてラベルでカードの特定が可能となって紛失等の場合に利便とすることができる。
【００３６】
請求項３〜５の帳票作製システムによれば、第１の帳票における第１及び第２の紙葉の同一面上に所定印刷事項の印刷を印刷手段で行わせると共に、当該第１の紙葉及び第２の帳票に付される機械的に読み取り自在な読取判別符号及び少なくとも目視で判別自在な当該読取判別符号と同じ情報の目視判別符号で構成される識別符号及びその近傍に付される当該識別符号の目視判別符号と同様の目視判別符号を共通の印字データに基づいて付し、第１の帳票と第２の帳票を丁合して第２の紙葉にカードを保持させ、適宜、当該カードと第１及び第２の帳票とを識別符号の読取判別符号により同一性を照合する照合手段を備えることにより、容易にカードと第１及び第２の帳票とのひも付け、マッチングの確認が行えて帳票作製の効率を向上させることができ、このように作製したカード保持型帳票により、第１の帳票と、第２の帳票とを分離させて異なる場所で保管、管理することが可能となって当該カードの問い合わせに対して即時に対処でき、カード発行業務の効率を向上させることができるものである。
【図面の簡単な説明】
【図１】本発明の一実施形態におけるカード保持型帳票の構成図である。
【図２】本発明のカード保持型帳票を製造する帳票作製システムのブロック構成図である。
【図３】帳票作製システムによるカード保持型帳票作製の説明図である。
【図４】本発明におけるマッチングのための照合を示した説明図である。
【図５】本発明の他の実施形態におけるカード保持型帳票の構成図である。
【図６】従来のカード保持型帳票の構成図である。
【符号の説明】
１１                    カード保持型帳票
１２                    第１の帳票
１３                    第２の帳票
１４                    第１の紙葉
１５                    第２の紙葉
１７，１７Ａ            エリア
１８，１８Ａ〜１８Ｃ    読取判別符号
１９，１９Ａ〜１９Ｃ    目視判別符号
２０，２０Ａ            目視判別符号
２１                    切欠き
２２                    カード
３１                    帳票作製システム
４１                    第１の連続帳票
４２                    第２の連続帳票
６１                    ラベル
【図１】
0004265711.tif 000002
【図２】
0004265711.tif 000003
【図３】
0004265711.tif 000004
【図４】
0004265711.tif 000005
【図５】
0004265711.tif 000006
【図６】
0004265711.tif 000007